(57)【特許請求の範囲】
【請求項１】
被介護者(13)を介護者(14)が両手で抱き抱えて持ち上げるための介護用トランスファであって、
展開状態で尻支持部１の下方に股支持部２が設けられ、少なくとも被介護者の尻部を抱持する布状体または可撓性シート或いは複合帯状・複合紐状体よりなる本体３と、その尻支持部１の中央部に設けた取手４ａからなる背面把持体４と、その背面把持体４の両側で且つ尻支持部１に設けられた一対の係止部５ａ，５ｂと、前記股支持部２に設けられ、前記一対の係止部５ａ，５ｂに係脱自在に係合される一対の係合部６ａ，６ｂと、を具備し、
展開状態で、前記本体３が股支持部２を頂部とする略逆三角形に形成され、その股支持部２が二股状に形成され、その二股部に前記係合部６ａ，６ｂが設けられ且つ、その先端に夫々取手７ａ，７ｂが設けられ、
前記一対の係止部５ａ，５ｂに一対の係合部６ａ，６ｂが対角線上に係脱自在に挿通されて、一対の前記取手７ａ，７ｂが重ね合わされて一体として一つの前面把持体７を構成し、
介護者がその前面把持体７を一方の手で把持できると共に、他方の手を被介護者の背中に回して前記背面把持体４を把持して、被介護者を抱いて持ち上げることができるように構成したことを特徴とする介護用トランスファ。
【請求項２】
請求項１において、前記本体３の展開状態で前記二股部の内周縁が弧状に形成され、その内周縁に厚み方向に可撓性がある帯状または細芯状の芯材８が配置され、その本体３の外面側が滑り易い滑性布地９からなる介護用トランスファ。
【請求項３】
請求項１または請求項２において、前記背面把持体４が取手４ａからなり、それと前記前面把持体７の取手７ａ，７ｂが共に、可撓性の逆Ｕ字状に突設された部材からなると共に、一対の前記係止部５ａ，５ｂが可撓性の逆Ｕ字状に突設された帯または紐からなる介護用トランスファ。
【請求項４】
請求項１〜請求項３の何れかにおいて、前記本体３の前記尻支持部１の幅方向の両端部に肩掛けベルト10の取付部11が設けられ、少なくとも一方の取付部11が、その肩掛けベルト10の一端に係脱自在に係合する係合手段11ａを有する介護用トランスファ。
【発明の詳細な説明】
【０００１】
【発明の属する技術分野】
本発明は、主として被介護者を介護者がベッドから車椅子または椅子に、或いはその逆に移し変える人力型の介護用トランスファに関する。
【０００２】
【従来の技術】
足の不自由な被介護者をベッドから車椅子や椅子に移し変える作業は、介護者にとって重労働であった。特に、不自然な姿勢で被介護者を持ち上げることになるため、介護者自体の腰を傷めることが多かった。即ち、介護者自体がギックリ腰を患うことが多かった。
【０００３】
【発明が解決しようとする課題】
そこで、本発明者は各種実験研究の結果、被介護者を無理なく容易に持ち上げて、ベッドから車椅子または椅子に移し変え、或いはその逆を行い得る安全な介護用トランスファを提供することを目的とする。
【０００４】
【課題を解決するための手段】
請求項１に記載の本発明は、被介護者(13)を介護者(14)が両手で抱き抱えて持ち上げるための介護用トランスファであって、
展開状態で尻支持部１の下方に股支持部２が設けられ、少なくとも被介護者の尻部を抱持する布状体または可撓性シート或いは複合帯状・複合紐状体よりなる本体３と、その尻支持部１の中央部に設けた取手４ａからなる背面把持体４と、その背面把持体４の両側で且つ尻支持部１に設けられた一対の係止部５ａ，５ｂと、前記股支持部２に設けられ、前記一対の係止部５ａ，５ｂに係脱自在に係合される一対の係合部６ａ，６ｂと、を具備し、
展開状態で、前記本体３が股支持部２を頂部とする略逆三角形に形成され、その股支持部２が二股状に形成され、その二股部に前記係合部６ａ，６ｂが設けられ且つ、その先端に夫々取手７ａ，７ｂが設けられ、
前記一対の係止部５ａ，５ｂに一対の係合部６ａ，６ｂが対角線上に係脱自在に挿通されて、一対の前記取手７ａ，７ｂが重ね合わされて一体として一つの前面把持体７を構成し、
介護者がその前面把持体７を一方の手で把持できると共に、他方の手を被介護者の背中に回して前記背面把持体４を把持して、被介護者を抱いて持ち上げることができるように構成したことを特徴とする介護用トランスファである。ここに、複合帯状・複合紐状体よりなる本体３とは、複数の帯材または紐材を組み合わせて網状に形成した本体をいう。
【０００５】
請求項２に記載の本発明は、請求項１において、前記本体３の展開状態で前記二股部の内周縁が弧状に形成され、その内周縁に厚み方向に可撓性がある帯状または細芯状の芯材８が配置され、その本体３の外面側が滑り易い滑性布地９からなる介護用トランスファである。
【０００６】
請求項３に記載の本発明は、請求項１または請求項２において、前記背面把持体４が取手４ａからなり、それと前記前面把持体７の取手７ａ，７ｂが共に、可撓性の逆Ｕ字状に突設された部材からなると共に、一対の前記係止部５ａ，５ｂが可撓性の逆Ｕ字状に突設された帯または紐からなる介護用トランスファである。
請求項４に記載の本発明は、請求項１〜請求項３の何れかにおいて、前記本体３の前記尻支持部１の幅方向の両端部に肩掛けベルト10の取付部11が設けられ、少なくとも一方の取付部11が、その肩掛けベルト10の一端に係脱自在に係合する係合手段11ａを有する介護用トランスファである。
【０００７】
【発明の実施の形態】
次に、図面に基づいて本発明の実施の形態につき説明する。
図１は本発明の介護用トランスファの展開状態（左隅部のみを折り曲げている）の平面図であり、図２はその使用状態を示す斜視図、図３〜図６はベッド上に寝ている被介護者を本介護用トランスファで抱持して持ち上げる手順を順に示す説明図である。
本発明の介護用トランスファ15は、図１に示す如く、その本体３が略逆三角形状に形成され、その頂部に円弧状の欠切部が設けられ、それにより頂部が二股状に形成されている。そしてその二股部に一対の股支持部２が形成され、その上方に尻支持部１が形成されている。尻支持部１の幅方向両端には、帯材よりなる係止部５ａ，５ｂが逆Ｕ字状に突設されている。即ち、短い帯材の両端が尻支持部１の端部に縫着されている。また、係止部５ａ，５ｂに隣接して夫々一対づつの小さな金属環が小布片を介して、本体３の背面に縫着されている。そしてそれにより、肩掛けベルト10の取付部11を形成する。即ち、肩掛けベルト10の両端に設けたフックが取付部11に係脱自在に係合され、それらが係合手段11ａを構成する。
【０００８】
このように、尻支持部１の両側に夫々一対づつの取付部11を設けたのは、被介護者13の体格等に応じて肩掛けベルト10の取付け位置を変えられるようにしたものである。
なお、肩掛けベルト10の一端のみは、本体３の幅方向一端部に予め縫着固定しておいてもよい。
次に、尻支持部１の上端縁中央には、弧状の取手４ａからなる背面把持体４が突設されている。この取手４ａは柔軟な革材等からなり、その両端が本体３の縁部に縫着固定されている。
【０００９】
さらに、一対の股支持部２の先端部分には係合部６ａ，６ｂが設けられ、さらにその先端縁に取手７ａ，７ｂからなる前面把持体７が形成されている。この取手７ａ，７ｂは、取手４ａと同一の材質から形成されている。
また、股支持部２の円弧状欠切部の縁部には、芯材８が縫着されている。この芯材８としては、厚み方向に可撓性のある帯材やプラスチックの細芯材を用いることができる。そしてその二股状の右側の係合部６ａが尻支持部１の左端の係止部５ｂに挿入され、左側の係合部６ｂが尻支持部１の右側の係止部５ａに挿入される。
なお、布状の本体３に代えて、複数の帯材または紐材を組み合わせてそれらを網状に形成して本体を構成してもよい。
【００１０】
【使用方法】
次に、本発明の介護用トランスファ15を用いて被介護者13を持ち上げる場合の手順につき説明する。
先ず、図３に示す如く、ベッド上に仰臥する被介護者13を横向きにさせ、ベッド上に本介護用トランスファ15を広げる。そして図において、本体３の右端部分を縮めて被介護者13の尻部に押し当てる。次いで、被介護者13を介護用トランスファ15側に回転させ、その上に仰臥させる。そして右側の係止部５ａを引き延ばし、被介護者13の尻下に介護用トランスファ15を位置させる。この際、取手７ａを引っ張ることにより、介護用トランスファ15の上辺を被介護者13の背骨に対して正確に直交させることができる。このとき、芯材８の存在により介護用トランスファ15の回転が容易となる。即ち、取手７ａを引っ張るとき、芯材８が存在しないと円弧状欠切部および股支持部２に皺が生じ、介護用トランスファ15全体を回転または移動し難くなる。ところが芯材８の存在により、引っ張り方向に剛性が生じ、引っ張りおよび回転を容易とする。
【００１１】
なお、介護用トランスファ15の内面側には非滑性布地12（図１）が設けられ、外面側には滑性布地９が設けられている。滑性布地９の材質としては、例えば滑り易い合成繊維を用いたものが使用される。非滑性布地12の材質としては、ジーンズ地を用いることができる。さらには、布地表面にゴム材を被覆したり、柔軟なプラスチックシート材を付着させたりすることも可能である。
【００１２】
次に、図４及び図５において左側の係合部６ｂを、被介護者の股を通して、右側の係止部５ａに挿入する。同様にして右側の係合部６ａを左側の係止部５ｂに挿入する。そして図６に示す如く、係合部６ａ，６ｂの先端の取手７ａを重ね合わせる。
なお、好ましくは予めこのとき既に図１の如く、左側の取付部11に肩掛けベルト10の一端を係止させておく。この肩掛けベルト10は、被介護者13の体格等に合わせてその長さが調節自在に伸縮される。その構造は鞄等の肩掛けベルトと同様のものでよい。
【００１３】
次いで、被介護者13の上半身をベッド上に起こし、図２の如く介護者14の左手で背面把持体４の取手４ａを保持し、右手で一対の取手７ａ，７ｂを同時に把持する。そして被介護者13の両手を介護者14の首に回させる。このような状態で介護者14は、背面把持体４の取手４ａと前面把持体７の取手７ａ，７ｂを把持して被介護者13の尻部を吊り上げる。このとき介護者14は、自分の膝の屈伸を利用して被介護者13を容易に持ち上げることが可能となる。そして車椅子や椅子等に被介護者13を移動することができる。
なお、車椅子や椅子等からベッドに被介護者を移動する際も、本発明の介護用トランスファ15を前記同様に使用することができる。
実験によれば、９０Kgの被介護者を、４０Kgの介護者が、図１の介護用トランスファで図２のように、容易に持ち上げてベッドから車椅子に移し替え、また逆の移し替えをすることができた。図２は、上記の条件の実験の様子を写真にとり、それをトレースしたものである。またそのとき、被介護者に何の苦痛を与えることがなかった。
【００１４】
【発明の作用・効果】
請求項１に記載の発明によれば、被介護者13の尻部を抱持する本体３の尻支持部１の中央部に背面把持体４が設けられ、係合部６ａ，６ｂまたは係止部５ａ，５ｂ或いは股支持部２に前面把持体７が設けられているから、被介護者13の尻部を本体３で抱持した状態で、その本体３の前側と後ろ側とを介護者14が両手で把持して容易に持ち上げることができる。それによって、被介護者13を安定して抱き抱え、移動することが可能となる。
特に、尻支持部１の中央部に設けた背面把持体４と股支持部２に設けた前面把持体７とを介護者がバランスよく安定して把持できるから、被介護者13を容易に持ち上げることが可能となる。それにより、介護の際、介護者14が腰を傷めてギックリ腰等を患う危険を防止できる。
【００１５】
さらに、一対の係止部５ａ，５ｂに一対の係合部６ａ，６ｂが対角線上に係脱自在に係合されるから、被介護者13の股部を締め付けることがなく、確実にその部分を支持し得る。即ち、被介護者13の股部分に苦痛を与えることを防止できる。また、本体３が展開状態で股支持部２を頂点とする略逆三角形状に形成され、その股支持部２が二股状に形成されているから、簡素化された本体３で確実に被介護者13の尻部を抱持することができる。そしてその股支持部２の二股部には係合部６ａ，６ｂが形成され、その先端に取手７ａ，７ｂが設けられて前面把持体７を構成するから、容易に前面側を把持できる。
【００１６】
請求項２に記載の発明によれば、その本体３の外面側が滑り易い滑性布地９であると共に、二股部の内周縁に芯材８が配置されているから、ベッド上で本介護用トランスファ15を広げ被介護者13をその上に載置した状態で、その介護用トランスファ15を被介護者13の尻の下で容易に移動することが可能となる。請求項3に記載の発明によれば、一対の係止部５ａ，５ｂと係合部６ａ，６ｂとの係脱が容易であると共に、背面把持体４の取手４ａと前面把持体７の取手７ａ，７ｂとにより、被介護者13を介護者14が容易に持ち上げることができる。請求項4に記載の発明によれば、肩掛けベルト10の存在により、被介護者13の上半身を介護者14に密着させることができるので、容易に被介護者13を介護者14が持ち上げることが可能となる。そして、移動中に被介護者の上半身が不用意に背面側に倒れることを防止し、安定した移動が可能である。
【図面の簡単な説明】
【図１】本発明の介護用トランスファの展開状態（左隅部のみを折り曲げている）の平面図。
【図２】同トランスファの使用状態を示す斜視図。
【図３】本発明の介護用トランスファ15によりベッド上の被介護者13を移動するための第１手順を示す平面図。
【図４】同第２手順を示す平面図。
【図５】同第３手順を示す平面図。
【図６】同第４手順を示す斜視図。
【符号の説明】
１  尻支持部
２  股支持部
３  本体
４  背面把持体
４ａ  取手
５ａ，５ｂ  係止部
６ａ，６ｂ  係合部
７  前面把持体
７ａ，７ｂ  取手
８  芯材
９  滑性布地
10  肩掛けベルト
11  取付部
11ａ  係合手段
12  非滑性布地
13  被介護者
14  介護者
15  介護用トランスファ
【図１】
0004048398.tif 000002
【図２】
0004048398.tif 000003
【図３】
0004048398.tif 000004
【図４】
0004048398.tif 000005
【図５】
0004048398.tif 000006
【図６】
0004048398.tif 000007